(57)【要約】  シェービング用かみそり及びそのようなシェービング用かみそり上への取り付けを意図されたカートリッジであって、カートリッジには、ウイング形状の、及びシェービングする消費者の皮膚表面への順応性を改善する、１つ又は取り付けられた固体シェービングエイド部分が含まれる。
2010518941.tif 000002
【特許請求の範囲】
【請求項１】
シェービング用かみそりであって：
ａ．近位及び遠位の端部を有するハンドルと、
ｂ．前記ハンドルの近位端部に取り付けられた使い捨てのかみそりカートリッジとを含み、前記カートリッジが更に、
１）かみそりブレードを含むブレードユニットと、
２）前記ブレードユニットに結合されたシェービングエイドホルダーとを含むものであって、前記ホルダーが、
ａ）前記ブレードユニットを包囲するハウジングであって、前記ハウジングが前及び後ろの縁部を有する、ハウジングと、
ｂ）前記ハウジングの前記前及び後ろの縁部の一方又は両方に結合された中央支持部と、
ｃ）右ウイング及び左ウイングであって、両方のウイングが前記中央支持部に可撓的に結合されている、右ウイング及び左ウイングとを含み、
前記ホルダーが、少なくとも１つの固体シェービングエイド部分を前記ウイングの１つ以上の上に担持し、前記右及び左のウイングが、ｚ方向に加えられる圧力に応じて、ｚ方向への付勢された移動を呈することを特徴とする、シェービング用かみそり。
【請求項２】
前記カートリッジが、着脱可能に前記ハンドルへ取り付けられている、請求項１のシェービング用かみそり。
【請求項３】
前記シェービングエイドホルダーが、１）前記前縁部の前方及び２）前記後ろ縁部の後方からなる群から選択される場所において、中央支持部によって、前記ハウジングに結合されている、請求項１のシェービング用かみそり。
【請求項４】
前記シェービングエイドホルダーが、前記ハウジングの前記前及び後ろ縁部のそれぞれに結合された中央支持部を含む、請求項１のシェービング用かみそり。
【請求項５】
それぞれの前記ウイングが、付勢されるヒンジを介して前記中央支持部に結合されている、請求項１のシェービング用かみそり。
【請求項６】
前記付勢されるヒンジは、前記カートリッジの上面に向かって付勢される、請求項５のシェービング用かみそり。
【請求項７】
前記付勢されるヒンジが、前記中央支持部及びウイングと一体に形成される、請求項５のシェービング用かみそり。
【請求項８】
前記付勢されるヒンジがバネを含む、請求項５のシェービング用かみそり。
【請求項９】
前記付勢されるヒンジが、付勢を推進するエラストマー材を含む、請求項５のシェービング用かみそり。
【請求項１０】
前記中央支持部が、前記ハウジングの前記前及び後ろ縁部の片方又は両方に可撓的に結合されている、請求項１のシェービング用かみそり。
【発明の詳細な説明】
【技術分野】
【０００１】
本発明は、シェービング用かみそり及びそのようなシェービング用かみそりの上への取り付けを目的としたカートリッジに関しており、カートリッジに、ウイング形状の、及びシェービングしている消費者の皮膚表面への順応性を改善する、取り付けられた固体シェービングエイドが含まれるものである。
【背景技術】
【０００２】
湿式シェービング用のかみそりは通常、ハンドルにより支えられるブレードユニットを包含し、ブレードユニットに、直線の鋭いエッジが付いた細長いブレード、又は平行なエッジを有する複数のそのようなブレードを包含する。ブレードユニットは、ブレードエッジ（単数又は複数）が鈍くなった時にかみそり全体を廃棄するという意図のもとで、ハンドルに固定的に取り付けられてもよい。あるいは、ブレードユニットは、取外し可能にハンドルに連結されて、使用したブレードユニットを新しいブレードユニットと交換可能にすることができる。交換可能なブレードユニットは普通、カートリッジと呼ばれる。
【０００３】
毛を剃る人の幾人かは、特に女性は、このタイプのかみそりをシャワー中に使用する。例えば、女性は、その脚を剃る時、剃る予定の皮膚の区域に石鹸の薄膜又は泡を塗布してその区域を剃り、別の区域に石鹸を塗布してその区域を剃ることが多い。シェービングが完了するまで、このプロセスが繰り返される。この方法でのシェービングは、毛を剃る人の多くが滑り易いバスルームの床上にぎこちない姿勢で立ったままで、片手に湿った石鹸バーを保持して他方の手でかみそりを操ることを一般に必要とするので、困難でイライラさせることがある。
【０００４】
かみそり上に取り付けられた石鹸を提供することによって、この問題に対処しようという試みがなされた。例えば、米国特許第６，５８４，６９０号明細書には、例えばカートリッジを取り巻く石鹸の塊の形体で、シェービング準備物を担持するかみそりが記載されている。同時係属の米国特許出願第１１／４７１，９０３号、同第１０／９６９，３９２号、及び同第１１／５９５，４９０号も、シェービング中の皮膚表面にシェービング準備物質を供給するかみそり製品に関するものである。
【先行技術文献】
【特許文献】
【０００５】
【特許文献１】米国特許第６，５８４，６９０号明細書
【特許文献２】米国特許出願第１１／４７１，９０３号
【特許文献３】米国特許出願第１０／９６９，３９２号
【特許文献４】米国特許出願第１１／５９５，４９０号
【発明の概要】
【発明が解決しようとする課題】
【０００６】
しかしながらそれでも、シェービング経験中の皮膚に対してシェービングエイドを塗布するだけでなく、シェービングされる皮膚の不均一な表面への順応性の改善を提供するかみそり製品をも望む、技巧的なシェービング消費者のニーズを満たす必要性がいまだ残っている。
【課題を解決するための手段】
【０００７】
本発明は、シェービング中のユーザーの皮膚に対してカートリッジがシェービングエイドを放出する、かみそりカートリッジ及びそのようなかみそりカートリッジを包含するかみそりを特徴とする。本発明は、一態様において、シェービング用かみそりを特徴としており、
ａ．近位及び遠位の端部を有するハンドルと、
ｂ．前記ハンドルの近位端部に取り付けられた使い捨てのかみそりカートリッジとを含み、前記カートリッジが更に、
１）かみそりブレードを含むブレードユニットと、
２）前記ブレードユニットに結合されたシェービングエイドホルダーとを含み、前記ホルダーは、
前記ハウジングが前及び後ろの縁部を有し、
ａ）前記ブレードユニットを包囲するハウジングであって、前記ハウジングは前及び後ろの縁部を有する、ハウジングと
ｂ）前記ハウジングの前記前及び後ろの縁部の一方又は両方に結合された中央支持部と、
ｃ）両方のウイングが前記中央支持部に可撓的に結合されている、右ウイング及び左ウイングとを含み、及び
前記ホルダーは少なくとも１つの固体シェービングエイド部分を担持し、前記右及び左のウイングが、ｚ方向に加えられる圧力に応じて、ｚ方向への付勢された移動を呈するものである。
【０００８】
別の態様において、本発明は、使い捨てのかみそりカートリッジに関しており、
ａ．かみそりブレードを含むブレードユニットと、
ｂ．前記ブレードユニットに結合されたシェービングエイドホルダーとを含み、前記ホルダーは、
前記ハウジングが前及び後ろの縁部を有し、
１）前記ブレードユニットを包囲するハウジングであって、前記ハウジングは前及び後ろの縁部を有する、ハウジングと
２）前記ハウジングの前記前及び後ろの縁部の一方又は両方に結合された中央支持部と、
３）両方のウイングが前記中央支持部に可撓的に結合されている、右ウイング及び左ウイングとを含み、及び
前記ホルダーは少なくとも１つの固体シェービングエイド部分を担持し、前記右及び左のウイングは、ｚ方向に加えられる圧力に応じて、ｚ方向への付勢された移動を呈するものである。
【０００９】
更なる態様において、本発明は、皮膚から毛をシェービングする方法に関しており、
ａ．使い捨てのかみそりカートリッジを皮膚の表面に接触させる工程であって、前記かみそりカートリッジは、
１）かみそりブレードを含むブレードユニットと、
２）前記ブレードユニットに結合されたシェービングエイドホルダーとを含み、前記ホルダーが、
前記ハウジングが前及び後ろの縁部を有し、
ａ）前記ブレードユニットを包囲するハウジングであって、前記ハウジングが前及び後ろの縁部を有する、ハウジングと、
ｂ）前記ハウジングの前記前及び後ろの縁部の一方又は両方に結合された中央支持部と、
ｃ）右ウイング及び左ウイングであって、両方のウイングが前記中央支持部に可撓的に結合されている、右ウイング及び左ウイングとを含み、及び
前記ホルダーは少なくとも１つの固体シェービングエイド部分を担持し、前記右及び左のウイングは、ｚ方向に加えられる圧力に応じて、ｚ方向への付勢された移動を呈するものである、使い捨てのかみそりカートリッジを皮膚の表面に接触させる工程と、
ｂ．皮膚の表面へｚ方向に圧力を加える工程と、
ｃ．皮膚の表面に沿って前記かみそりカートリッジを移動させる工程と、を含む、方法。
【００１０】
本発明の１つ以上の実施形態の詳細を、添付図及び以下の説明に示す。本発明の他の特徴及び利点は、説明及び図面、並びに請求項から明らかになるであろう。
【図面の簡単な説明】
【００１１】
【図１Ａ】本発明の一実施形態によるかみそりのカートリッジ及びハンドル部分の上面図。
【図１Ｂ】本発明の一実施形態によるかみそりのカートリッジ及びハンドル部分の正面図。
【図１Ｃ】本発明の一実施形態によるかみそりのカートリッジ及びハンドル部分の上方斜視図。
【図１Ｄ】本発明の一実施形態によるかみそりのカートリッジ及びハンドル部分の側面図。
【図２】本発明の別の実施形態によるかみそりのカートリッジ及びハンドル部分の斜視図。
【図３Ａ】本発明のシェービングエイドホルダーの上面図。
【図３Ｂ】本発明のシェービングエイドホルダーの側面図。
【図３Ｃ】シェービングエイドホルダーの後方斜視図。
【図４Ａ】本発明の実施形態の片寄りの無いシェービングエイド部分とホルダーの斜視図。
【図４Ｂ】本発明の実施形態の片寄らされたシェービングエイド部分とホルダーの斜視図。
【図４Ｃ】片寄りが図４Ｂに示されるものより更に大きい、図４Ａのシェービングエイド部分とホルダーの斜視図。
【図５】本発明の別の実施形態によるかみそりのカートリッジ及びハンドル部分の斜視図。
【図６】本発明の別の実施形態によるかみそりのカートリッジ及びハンドル部分の斜視図。
【発明を実施するための形態】
【００１２】
本発明は、かみそり製品のｙ軸に沿ってｚ方向への付勢された移動を呈することによって、皮膚の表面に対する順応性を改善することができる、かみそりを対象とする。ｙ軸に沿うｚ方向へのこの付勢された移動のこの機構（ｙ軸は、両方とも本発明のカートリッジのものである上縁部から下縁部へ延在する）。上縁部は、下記する後ろ縁部に平行に走り及びその外側にあり、一方、下縁部は、前縁部に平行に走り及びその外側にある。図１Ａ〜１Ｄを参照して、シェービング用かみそり１０は、使い捨てのかみそりカートリッジ１２及びハンドル１４を包含する。カートリッジ１２は、かみそりブレード１５を有するブレードユニット２０、ハウジング３６を含むシェービングエイドホルダー３０を包含する。ハウジング３６が前縁部３７及び後ろ縁部３９を有するように、このハウジング３６はブレードユニット２０を包囲する。ハウジング３６はまた、前及び後ろ縁部に対して垂直に配置された、２つの反対側縁部３８も有する。シェービングエイドホルダー３０のハウジング３６は、前クリップ３２及び後ろクリップ３４により（永久的又は着脱可能のいずれかで）ブレードユニット２０に取り付けられる（図３Ａ、３Ｂ、及び３Ｃで明確に示される）。
【００１３】
図２のシェービングエイドホルダー３０（ウイングの下に存在するとして示される）は、中央支持部２５に両方とも可撓的に結合された前右ウイング４２Ｒ及び前左ウイング４２Ｌと、ハウジング３６の後ろで第二の中央支持部２５にやはり結合された後ろ右ウイング４４Ｒ及び後ろ左ウイング４４Ｌとを含む。図２に示されるように、一般に、シェービングエイドホルダー３０は、右及び／又は左のウイングの１つ以上の部分の上に、固体シェービングエイド部分３１Ａ、３１Ｂを担持する。図１Ａ〜１Ｄの実施形態では、固体シェービングエイド部分３１ＡＲ、３１ＡＬ、３１ＢＲ、３１ＢＬが、存在する４つのウイング４２Ｒ、４２Ｌ、４４Ｒ、４４Ｌのそれぞれの上に担持され、更に前方及び後方のウイング対の中央支持部上には、中央支持シェービングエイド部分３１ＡＣ及び３１ＢＣが組み立てられている。図２においては、前側の固体シェービングエイド部分３１Ａが、前右及び前左のウイングの両方の幅を横切って、これらに担持され、及び後ろ側の固体シェービングエイド部分が、後ろ右及び後ろ左のウイング３１Ｂの両方の幅を横切って、これらに担持されている。図３Ａ〜３Ｃでは、シェービングエイド部分３１Ａ、３１Ｂ無しで、及びホルダー３０に結合されたかみそりブレードユニット２０無しで、シェービングエイドホルダー３０が示されている。図３Ａは、前右及び後ろ右のウイング４２Ｒ、４４Ｒと、前左及び後ろ左のウイング４２Ｌ、４４Ｌとを示す。図１Ａ〜１Ｄ及び２では、それぞれのウイング及び中央支持部上に、対応する固体シェービングエイド部分が、例えば、前右シェービングエイド部分３１ＡＲ、前左シェービングエイド部分３１ＡＬ、後ろ右シェービングエイド部分３１ＢＲ、後ろ左シェービングエイド部分３１ＢＬ、及び前及び後ろの中央シェービングエイド部分３１ＡＣ、３１ＢＣが、担持されている。中央支持部２５は、ウイングヒンジ部材２６によってウイング４２Ｒ、４２Ｌ、４４Ｒ、４４Ｌのそれぞれに可撓的に結合されており、ウイングヒンジ部材が、ウイング４２、４４のｚ方向への付勢された移動を、同じｚ方向に加えられる圧力に応じて提供する。
【００１４】
かみそりブレードユニット２０は、少なくとも１つのかみそりブレード１５を含み、及び米国特許第５，６６１，９０７号明細書に記載されるブレードユニットに類似する。ハンドル１４は、米国特許第５，８５５，０７１号明細書、同第５，９５６，８５１号明細書、及び同第６，０５２，９０３号明細書に記載されるものに類似する。
【００１５】
図１Ａ〜１Ｄの実施形態では、ホルダー３０の前ウイング４２Ｒ、４２Ｌ、及び前中央支持部２５が、前シェービングエイド部分３１ＡＲ、３１ＡＣ、３１ＡＬを担持し、並びに後ろウイング４４Ｒ、４４Ｌ、及び後ろ中央支持部２５が、後ろシェービングエイド部分３１ＢＲ、３１ＢＣ、３１ＢＬを担持する。前シェービングエイド部分３１ＡＲ、３１ＡＣ、３１ＡＬは、ブレードユニット２０の前側で、すなわちシェービング前に、皮膚に接触し、後ろシェービングエイド部分３１ＢＲ、３１ＢＣ、３１ＢＬは、ブレードユニット２０の後ろで皮膚に接触する。このように、シェービングエイド部分は異なる組成物を有してもよく、例えば、前シェービングエイド部分（単数又は複数）が、潤滑剤のようなシェービング準備成分を包含してもよく、一方、後ろ部分（単数又は複数）が、皮膚軟化剤及び保湿剤のような皮膚鎮静及びコンディショニング成分を包含してもよい。
【００１６】
シェービングエイド部分は、皮膚に接触すると、通常の片寄りの無い（凹）姿勢（図４Ａ）から様々に曲がった姿勢まで弾力的に片寄るように取り付けられており、そのうちの２つが、図４Ｂ及び４Ｃに示される。この撓みによって、脇の下の窪み（腋窩）又は膝の後ろなどの到達が困難又は制限された区域内で、かみそりが容易に使用できるようになる。シェービングエイド部分の片寄りはまた、シェービング中に過度の圧力をユーザーが加える場合に、シェービングエイド部分の早過ぎる磨耗及びユーザーへの不快感も防ぐ。シェービングエイド部分及び下に存在するウイングの片寄り角度（図４Ｂ及び４Ｃに示される）は、好ましくは、少なくとも約１０度、例えば約１０〜６０度、通常は約２０〜４０度である。一般に、２つのシェービングエイド部分の高さは、シェービングエイド部分がほぼ同時に使い尽くされるように、使用される組成物の磨耗速度に比例する。
【００１７】
ホルダー３０は、ブレードユニット２０から消費者により着脱可能であるように取り付けられてもよく（例えば、シェービングエイドホルダーを包含しないブレードユニットにシェービングエイドホルダーを追加することを消費者が望む場合）、あるいは、ブレードユニット上に永久的に取り付けられても、又はブレードユニットと一体に成型されてもよい。図３Ａ〜３Ｃに示されるホルダーでは、ホルダー３０は、ブレードユニット２０の後ろ側表面２９とのクリップ３２及び３４の係合によって、ブレードユニット上に留められる。ホルダー３０は、ブレードユニット２０をクリップ３４の下側に滑り込ませ、次にクリップ３２を撓ませて所定の場所にスナップ留めすることによって、ブレードユニット２０と係合してもよい。
【００１８】
本発明の別の実施形態においては、図５のシェービングエイドホルダー３０が、前右ウイング４２Ｒ及び前左ウイング４２Ｌだけを含み、その両方が、中央支持部２５に可撓的に結合されている。このようにして、この実施形態は、そのようなウイング上の前右シェービングエイド部分３１ＡＲ及び前左シェービングエイド部分３１ＡＬ、並びに前側又は前方ウイング対の中央支持部上に組み立てられた前中央シェービングエイド部分３１ＡＣだけを包含する。逆に、図６に示される本発明の別の実施形態は、後ろ右ウイング４４Ｒ及び後ろ左ウイング４４Ｌだけを包含し、その両方も、中央支持部２５に可撓的に結合されている。この実施形態には、後ろ右シェービングエイド部分３１ＢＲ、後ろ中央シェービングエイド部分３１ＢＣ、及び後ろ左シェービングエイド部分３１ＢＬが含まれる。
【００１９】
カートリッジ１２の様々な特徴を更に詳細にこれから説明する。
【００２０】
シェービングエイドホルダーの構造
図３Ａ〜３Ｃを参照すると、シェービングエイドホルダー３０は、ホルダー３０が所定位置にある時に、カートリッジ本体の周囲に延在する、ハウジング３６を包含する。ハウジング３６は、一般に、成型されたプラスチックで形成される。ハウジングの側部３８は、好ましくは、ブレードユニット２０の側領域の上まで延在し、ホルダー３０を適所に確実に保持する。シェービング性能が損なわれないように、側部３８は一般に、ブレード端部の隣では十分に薄くされるべきである。好ましくは、ブレード端部に隣接する非常に薄い縁部４０から縁部の外側寄り区域までの間に、傾斜区域が設けられる。例えば、側部３８は、一般に、縁部４０において０．１５ｍｍ未満の、及び縁部４０の内側寄りで約０．５ｍｍの厚さを有する。この傾斜区域５９によって、ホルダー３０の線Ｌと外側縁部６３との間にレール６１が設けられる。これらのレール６１が、使用中のかみそりの追尾性を向上することがある。
【００２１】
図２を参照すると、シェービングエイド部分３１Ａ及び３１Ｂはそれぞれ、（図１の４２Ｒ、４２Ｌ、４４Ｒ、及び４４Ｌに相当する）対の右及び左のウイング４２、４４上に担持される。ウイング４２、４４は、フレームと同じプラスチックで形成されてもよく、又は異なる材料で形成されてもよい。例えば、ウイングは、中央支持部２５をハウジングに結合する、中央支持部ヒンジ５２、５４（図３）と同じ材料で形成されてもよい。この場合、中央支持部２５、ウイング４２、４４、及びヒンジは、単一の成型工程でハウジング上にオーバーモールドされてもよい。
【００２２】
ウイングは複数の穴４６（図３Ａ）を包含しても、包含しなくてもよく、これらは、シェービングエイドがウイングの厚さを通して流れて、ウイングの裏側上で（例えば、共に流れて一体の塊を形成することにより）機械的な噛み合いを形成し、シェービングエイドをウイングに固定することを可能にするものである。
【００２３】
シェービングエイド部分が使い尽くされた時に、ユーザーの皮膚が、硬いプラスチックよりもエラストマーに接触するように、エラストマーのバンパー４８、５０が、シェービングエイド部分の下に存在するウイングの隅部に設けられてもよい。エラストマーバンパーは、一般に、少なくとも１ｍｍの、例えば約１．５〜３ｍｍの厚さを有する。エラストマーは、ユーザーの快適性のためにまたヒンジが柔らかく曲がるように、比較的柔軟であってもよい。例えば、エラストマーは、約５０ショアＡ未満の、例えば約４０ショアＡ未満の硬さを有してもよい。エラストマーは、例えば、商標名クレイトン（KRATON）で入手可能なものなどのブロックコポリマーであってもよい。ある場合には、エラストマーは、シェービングエイド組成物の成分との長い接触の間に劣化することがないように、十分な耐薬品性を有する。
【００２４】
図３Ｂを参照して、ウイング４２Ｒ、４２Ｌ、４４Ｒ、４４Ｌは、通常の片寄りの無い姿勢においてさえ、ブレードエッジにより画定される平面より十分上方に、上向きに曲がっている。この凹湾曲により、ウイングは、比較的大量の石鹸を担持可能になるが、それでも、シェービング中の消費者の皮膚輪郭に快適に順応する。
【００２５】
シェービングエイド部分の弾力的取り付け
ウイング４２、４４は、ハウジング３６に弾力的に取り付けられており、これにより、シェービング中のシェービングエイド部分３１Ａ、３１Ｂの図４Ａに示される通常姿勢から、様々な片寄り姿勢（その２つが図４Ｂ及び４Ｃに示される）へ片寄ることができる。可撓性の中央支持部ヒンジ５２、５４（図３Ａ）が、中央支持部とハウジングの間のこの弾力的連結をもたらす。
【００２６】
ヒンジ５２、５４は、エラストマー材で、例えばブロックコポリマーで形成されてもよい。ヒンジは、上で説明されたエラストマーバンパー４８、５０と同じエラストマー材で形成されてもよい。ユーザーの皮膚と接触する時にウイングが容易に片寄り、その上に良好なバネ戻りもウイングにもたらすために、エラストマー材は一般に、柔軟に曲がるように選択される。例えば、エラストマー材は、約６８９〜２０６８ｋＰａ（１００〜３００ｐｓｉ）の曲げ弾性率を有してもよい。所望の製品特性をもたらす弾性率は、ヒンジの厚さＴ及び長さに依存する。２つの対向する中央支持部ヒンジの厚さ及び長さは、同一にすることも、異なることもでき、またこれらの寸法及び使用されるエラストマー材は、２対のウイングに所望の曲げ特性を与えるように選択することができる。本発明の実施形態は、ブレードユニットの前か後のいずれかで、単一対のウイングを有する単一の中央支持部を包含することが、完璧に可能であるのを記憶するであろう。いずれにしても、ヒンジの厚さは、例えば、約０．１〜２．０ｍｍであってもよく、またその長さは、約０．１〜３．０ｍｍであってもよい。図３に示される実施形態では、中央支持部ヒンジは、ハウジングの中央域に沿って配置される。しかしながら、所望の場合、ハウジングの長さに沿ってヒンジを狭める又は長くすることが可能である。別の方法としては、中央支持部ヒンジは、ハウジングの長さに沿って繰り返されて、後ろ及び／又は前縁部の一方又は両方に沿う不連続ヒンジシステムを提供してもよい。
【００２７】
中央支持部ヒンジ５２、５４は、ハウジング上にオーバーモールドされてもよい。そのような実施形態では、ハウジングは、ハウジングからウイングまで一体に延在する、特に側部３８の近辺まで延在する１つ以上の連結部材によって、ウイングのそれぞれに連結される。所望の場合、これらの連結部材は、上成形が完了した後で、切断されてもよい。別の方法としては、ウイング及びハウジングは、別個の構成要素であって、これらが、挿入型の中に置かれて、エラストマーでオーバーモールドされてもよい。エラストマー単独で（すなわち、実質的に硬質プラスチック無しで）ヒンジを形成すると、ある場合には、より柔軟に曲がるヒンジを生じる可能性がある。
【００２８】
旋回するカートリッジ／ハンドルの連結部
図１Ａ〜１Ｄ、２、５、及び６を参照すると、かみそり１０は、上の説明のように、使い捨てカートリッジ１２及びハンドル１４を包含する。カートリッジ１２は、ハンドル１４の連結部分（図示せず）に対してカートリッジ１２を取外し可能に連結するものであってもよい連結部材（図示せず）と、連結部材に旋回可能に連結されたブレードユニット２０とを包含してもよい。ハンドル１４に対してカートリッジ１２を連結及び連結解除する際の、ハンドル１４及びカートリッジ１２の構成要素の相互作用は、米国特許第５，９５６，８５１号明細書にて更に詳細に説明されており、その開示を上記の参考として組み入れる。
【００２９】
シェービングエイドの処方
シェービングエイド部分を形成するのに、いかなる所望の処方が用いられてもよい。ある実施形態では、シェービングエイド部分は、カートリッジの意図された寿命の間は持続するように、十分な耐磨耗性を有する。所望の場合、シェービングエイドホルダーが、消費者により着脱可能及び交換可能であってもよく、その場合、シェービングエイド部分は、カートリッジの交換が必要となる前に、使い尽くされてもよい。
【００３０】
場合によっては、シェービングエイド部分は、石鹸を、例えば注入された石鹸又は押し出された石鹸を包含してもよい。そのような石鹸系の組成物は、その硬さ、耐磨耗性、潤滑性、及び／又は皮膚加湿及びコンディショニング特性を高めるために、変成されてもよい。
【００３１】
磨耗インジケータ
所望の場合、シェービングエイド部分は、いつカートリッジが交換されるべきかをユーザーに表示する、磨耗インジケータの働きをしてもよい。シェービングエイド部分は、上で説明されたように、カートリッジの意図された寿命の最後に使い尽くされるように処方することができ、その結果、シェービングエイドの消耗が、カートリッジを交換すべきことをユーザーに示すことになる。別の実施例では、シェービングエイド部分は、埋め込まれたしるし、例えば予め定められた量のシェービングエイドが洗い去られた時に出現するロゴ、デザイン、又は言葉を包含してもよく、又はしるしが、シェービングエイド上にエンボス加工されて、シェービングエイドの使用につれて消滅してもよい。これらの場合、しるしの出現又は消滅がそれぞれ、カートリッジを交換すべきことをユーザーに示すことになる。同様に、潤滑性ストリップが、前シェービングエイド部分の後ろ又は後ろシェービングエイド部分の前のいずれかで、シェービングエイド部分（単数若しくは複数）の下に存在する又はシェービングエイド部分（単数若しくは複数）に隣接さえもする、ウイングの一方又は両方に取り付けられてもよい。この場合、シェービングエイドが使い尽くされた時、潤滑性ストリップが露呈されて、カートリッジを交換すべきことを表示する。潤滑性ストリップは、ユーザーがカートリッジを交換できるまでの期間、潤滑及び皮膚コンディショニングという追加効果をもたらす。
【００３２】
その他の実施形態
その他の実施形態は、以下の請求項の範囲内にある。例えば、特定のカートリッジ及びハンドルのタイプを上で説明したが、シェービングエイドホルダーは、いかなる所望のタイプのカートリッジ及び／又はハンドルと共に使用されてもよい。異なるカートリッジ形状が使用される場合、シェービングエイドホルダーのフレーム形状及び／又はシェービングエイドホルダーの寸法は、それに応じて調整されてもよい。
【００３３】
その上、２つのシェービングエイド部分が図に示されて上で説明されたが、所望の場合、シェービングエイドホルダーは、単一のシェービングエイド部分だけを包含してもよく、例えば、シェービング準備組成物だけが望まれる場合は前シェービングエイド部分を、又は皮膚コンディショニングだけが望まれる場合（例えば、ユーザーが、石鹸バー又はシェービングジェルなどの別個のシェービング準備物を使用する場合）は後ろ部分を包含してもよい。この場合、シェービングエイドホルダーは一般に、単一対の前又は後ろウイングと単一の中央支持部だけを包含する。
【００３４】
加えて、上で説明されたウイングにはシェービングエイドを適所に固定するための穴を包含するが、シェービングエイドがウイングに対して十分な接着性を示す又は異なる方法でウイングに取り付けられる場合、中実のウイングが使用されてもよい。また、上で説明された中央支持部ヒンジはエラストマー材で形成されていたが、ある場合には、例えば「一体成形ヒンジ」では、ヒンジが、硬質プラスチックで形成されてもよい。
【００３５】
幾つかの実施形態では、潤滑性ストリップを有するキャップは、例えばカートリッジハウジングの後部のスロット内に取り付けられて、カートリッジに包含されてもよい。潤滑性ストリップは、当技術分野において既知のように、また例えば米国特許第５，１１３，５８５号明細書及び同第５，４５４，１６４号明細書に記載されるように、疎水性材料と水をろ過可能な親水性ポリマー材料との混合物を含む材料で作製されてもよい。
【００３６】
本明細書に開示されている寸法及び値は、列挙した正確な数値に厳しく限定されるものとして理解すべきではない。それよりむしろ、特に指定されない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【００３７】
「発明を実施するための形態」で引用した全ての文献は、関連部分において本明細書に参照により組み込まれるが、いずれの文献の引用も、それが本発明に対する先行技術であることを容認するものと解釈されるべきではない。本書における用語のいずれかの意味又は定義が、参照により組み込まれた文献における同一の用語のいずれかの意味又は定義と相反する限りにおいては、本書においてその用語に与えられた意味又は定義が適用されるものとする。
【００３８】
以上、本発明の特定の実施形態を図示、説明したが、本発明の趣旨及び範囲から逸脱することなく他の様々な変更及び改変を行うことが可能である点は当業者には自明であろう。したがって本発明の範囲に含まれるすべてのこうした変更及び改変を付属の特許請求の範囲において網羅するものである。
【図１Ａ】
2010518941.tif 000003
【図１Ｂ】
2010518941.tif 000004
【図１Ｃ】
2010518941.tif 000005
【図１Ｄ】
2010518941.tif 000006
【図２】
2010518941.tif 000007
【図３Ａ】
2010518941.tif 000008
【図３Ｂ】
2010518941.tif 000009
【図３Ｃ】
2010518941.tif 000010
【図４Ａ】
2010518941.tif 000011
【図４Ｂ】
2010518941.tif 000012
【図４Ｃ】
2010518941.tif 000013
【図５】
2010518941.tif 000014
【図６】
2010518941.tif 000015
【国際調査報告】
2010518941.tif 000016
2010518941.tif 000017